(57)【要約】【課題】  電磁石自動接続フランジはボルトとナットを使わずに、配管継ぎ手として自動接続が容易に出来る構成を提供する。【解決手段】  電磁石自動接続フランジは、ソレノイド３を使用して電磁石を興し、ソレノイド３を具備したフランジ５に電源を通し、電力配線１１の先にスイッチを図示していないが設けてある、フランジ５に電源をオンとオフに切り替え、電磁石を興し使用する、ピン１は接続時に相手フランジ１２のピン穴４に入り、又双方のフランジ表面８は接続部分中央にパッキン溝２を設け、接続後配管内の流動物の漏れを防ぐ、フランジ５にパッキン１０が装着して。電磁石の力で双方のフランジは圧接密閉される、フランジ５とフランジ１２に接続するパイプ螺子７は、前記から配管に磁力が伝導しない遮断する材質を使用している。人の手を介さずに配管の接続切り離し作業を行う事ができた。【選択図】図１
2010127447.tif 000002
【特許請求の範囲】
【請求項１】
電磁石自動接続フランジは、前記の配管継ぎ手として自動接続し、床面上に固定された架台と、前輪と後輪を有し便器を載せた台車と、前記床面上に設けられたガイドレールストッパー及びガイドレールストッパーから構成され、前記架台に固定された汚水管と給水管を、それぞれ前記台車に設けられた汚水管と給水管接続可能とした前記フランジであって、前記充電池によりモーターを稼動して回転させることにより前記台車の前記前輪を制御操作して前記台車を目的に移動させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、前記フランジに突起したピンを設け固定し、前記相手フランジはピンが入るピン穴を設けピンを収める、前記フランジは上下左右四方にピンとピン穴に収まり、前記フランジのブレとズレを防ぎ固定して、前記ピンの先はピン穴に入り易く丸くされている、前記接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることを特徴とする、電磁石自動接続フランジ。
【請求項２】
前記フランジ内にソレノイドを数個具備し電源を通し、前記フランジは人の手作業の負担を省く事を特徴とする、請求項１記載の電磁石自動接続フランジ。
【発明の詳細な説明】
【技術分野】
【０００１】
本発明は、従来のフランジは配管継ぎ手にボルトとナットを使用して配管接続をしていた、前記配管接続切り離し作業が人の手を省き、更に自動接続切り離しができる事に関するものである。
【背景技術】
【０００２】
従来の配管接続は継ぎ手としてフランジを使用して、双方のフランジはボルトとナットを締めて緩めて接続切り離しているのが主だった。その為人の手が必ず接続切り離し作業に必要であった。
【特許文献１】実願昭６３−７２１４５号  （実開平１−１７４６８８号）
【特許文献２】特開平６−１４６３５８号公報
【発明の開示】
【発明が解決しようとする課題】
【０００３】
従来の配管接続は主にフランジを使いボルトとナットを使用している、フランジはボルトとナットを締めて緩めて接続切り離しに人の手作業が必要であった。
【課題を解決するための手段】
【０００４】
本発明記載の請求項１に係る電磁石フランジは、前記の配管継ぎ手として自動接続し、床面上に固定された架台と、前輪と後輪を有し便器を載せた台車と、前記床面上に設けられたガイドレールストッパー及びガイドレールストッパーから構成され、前記架台に固定された汚水管と給水管を、それぞれ前記台車に設けられた汚水管と給水管接続可能とした前記フランジであって、前記充電池によりモーターを稼動して回転させることにより前記台車の前記前輪を制御操作して前記台車を目的に移動させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、前記フランジに突起したピンを設け固定し、前記相手フランジのピンがピン穴に収まり、前記フランジは上下左右四方にブレとズレを防ぎ固定して、前記ピンの先はピン穴に入り易く丸くされている、前記接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることも出来るようになる、前記フランジを利用して人手不足を解消される。
【０００５】
本発明記載の請求項２に係る電磁石フランジは、前記フランジ内にソレノイドを数個具備し電源を通して接続している、前記フランジは人の手作業の負担を省く事で、自動接続が容易にできるようになった。
【発明の効果】
【０００６】
本発明は、前記の配管継ぎ手として自動接続し、床面上に固定された架台と、前輪と後輪を有し便器を載せた台車と、前記床面上に設けられたガイドレールストッパー及びガイドレールストッパーから構成され、前記架台に固定された汚水管と給水管を、それぞれ前記台車に設けられた汚水管と給水管接続可能とした前記フランジであって、前記充電池によりモーターを稼動して回転させることにより前記台車の前記前輪を制御操作して前記台車を目的に移動させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、前記フランジに突起したピンを設け固定し、前記相手フランジはピンが入るピン穴を設けピンを収める、前記フランジは上下左右四方にピンとピン穴に収まり、前記フランジのブレとズレを防ぎ固定して、前記フランジのピンは先がピン穴に入り易く丸くしてある、前記フランジ接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることは、人の手を介さずに配管の接続切り離し作業を行う事ができた。
【０００７】
本発明記載の請求項２に係る電磁石フランジは、前記フランジ内にソレノイドを数個具備し電源を通して、前記フランジは人の手作業の負担を省き、自動接続が容易にできるようになった。
【発明を実施するための最良の形態】
【０００８】
次に、本発明の実施例について図面を参照しながら説明する。
【実施例】
【０００９】
〔実施例１〕
図１は、電磁石を興すソレノイド３を架台２１のフランジ１に具備し，電力配線１１のスイッチは図示していないが、ピン１は接続時に台車２６のピン穴４に入り易く先端を丸くしている、又双方のフランジ表面は接続部分中央にパッキン溝２を設けてあり、接続時はフランジ５にパッキン１０が装着してあり、前記フランジの磁力で圧接密閉され、フランジ５とフランジ１２に接続するパイプ螺子７は磁力を遮断する材質を使用して、磁力はフランジと遮断される。
〔実施例２〕
前記の配管継ぎ手として自動接続し、床面上に固定された架台２５と、前輪３２と後輪１７を有し便器１８を載せた台車２６と、前記床面上に設けられたガイドレールストッパー１５及びガイドレールストッパーから構成され、前記架台２５に固定された汚水管２４と給水管２３を、それぞれ前記台車２６に設けられた汚水管２４と給水管２３接続可能とした前記フランジであって、前記充電池によりモーターを稼動して回転させることにより前記台車２６の前記前輪３２を制御操作して前記台車２６を目的に移動させ、前記台車２６の後輪１７及び前輪３２が、前記ガイドレール１４に案内されて、前記後輪１７が前記ガイドレールストッパー１５に突き当てられた位置を接続位置とし、前記接続位置において、前記に固定された汚水管２４と給水管２３が、前記台車２６に設けられた汚水管２４と給水管２３と接続され、また、接続解除されるものであって、前記フランジ架台２５に固定された汚水管２４と給水管２３の継ぎ手部と、前記台車２６に設けられた汚水管２４と給水管２３の継ぎ手部には、いずれも、前記フランジに突起したピン１を設け固定し、前記フランジの相手フランジはピン１が入るピン穴４を設けピン１を収める、前記フランジは上下左右四方にピン１とピン穴４に収まり、前記フランジのブレとズレを防ぎ固定して、前記フランジピン１の先はピン穴４に入り易く丸くしてある、前記接続面にパッキン２の溝を設けたフランジが形成されており、前記接続位置において、前記電磁石装置を制御することにより、前記架台２５に固定された汚水管２４と給水管２３の継ぎ手部のフランジ１２が、フランジ１２の間に装着されたパッキン１０を挟んで接続され、また、接続解除されることは、人の手を介さずに配管の接続切り離し作業を行う事ができた。
【産業上の利用可能性】
【００１０】
前記フランジは、配管継ぎ手として自動接続する事は、人の手が係らずコントロールでき、配管内の流動物によっては多方面でも使用可能であり、生産コスト面において大きな期待が出来ると思われる。
【図面の簡単な説明】
【００１１】
【図１】電磁石フランジの全体斜図
【図２】ソレノイドの芯から見たフランジが切り離れている断面図
【図３】ピンの芯から見たフランジが接続している断面図
【図４】ソレノイドの芯から見たフランジが接続している断面図
【図５】ピンの芯から見たフランジが切り離れている断面図
【図６】フランジ接続構成斜図
【図７】架台に固定したフランジと、接続しようとしている斜図
【符号の説明】
【００１２】
１・ピン              
２・パッキン溝      
３・ソレノイド        
４・ピン穴                
５・ソレノイドを取り付けたフランジ        
６・フランジ裏蓋  
７・パイプ螺子
８・フランジ接続面
９・水圧ポンプ      
１０・パッキン    
１１・電力配線
１２・フランジ
１３・鉄芯
１４・車輪ガイドレール    
１５・車輪ガイドレールストッパ
１５・車輪ガイド進入口
１６・広角ガイドレール  
１７・後輪        
１８・便器
１９・便器サポート
２０・便器取り付けボルト
２１・配管架台
２２・フランジ広角ガイド
２３・給水管  
２４・汚水管
２５・架台    
２６・台車
２７・Ｕバンド
２８・汚水管点検口キャップ  
２９・便座
３０・便座手摺り
３１・便座蓋
３２・前輪
３３・給水タンク
３４・汚水タンク
３５・給水タンクノズルフランジ
３６・汚水タンクノズルフランジ
【図１】
2010127447.tif 000003
【図２】
2010127447.tif 000004
【図３】
2010127447.tif 000005
【図４】
2010127447.tif 000006
【図５】
2010127447.tif 000007
【図６】
2010127447.tif 000008
【図７】
2010127447.tif 000009
【手続補正書】
【提出日】平成20年12月11日(2008.12.11)
【手続補正１】
【補正対象書類名】特許請求の範囲
【補正対象項目名】請求項１
【補正方法】変更
【補正の内容】
【請求項１】
電磁石自動接続フランジは、前記の配管継ぎ手として自動接続し、床面上に固定された架台と、前輪と後輪を有し便器を載せた台車と、前記床面上に設けられたガイドレール及びガイドレールストッパーから構成され、前記架台に固定された汚水管と給水管を、それぞれ前記台車に設けられた汚水管と給水管接続可能とした前記フランジであって、前記充電池によりモーターを稼動して回転させることにより前記台車の前記前輪を制御操作して前記台車を目的に移動させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、前記フランジに突起したピンを設け固定し、前記相手フランジはピンが入るピン穴を設けピンを収める、前記フランジは上下左右四方にピンとピン穴に収まり、前記フランジのブレとズレを防ぎ固定して、前記ピンの先はピン穴に入り易く丸くされている、前記接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることを特徴とする、電磁石自動接続フランジ。
【手続補正２】
【補正対象書類名】明細書
【補正対象項目名】０００２
【補正方法】変更
【補正の内容】
【０００２】
従来の配管接続は継ぎ手としてフランジを使用していた、双方のフランジはボルトとナットを締めて緩めて接続切り離しているのが主だった。その為人の手作業が必ず必要であった。
【手続補正３】
【補正対象書類名】明細書
【補正対象項目名】０００４
【補正方法】変更
【補正の内容】
【０００４】
本発明記載の請求項１に係る電磁石フランジは、前記の配管継ぎ手として自動接続し、床面上に固定された架台と、前輪と後輪を有し便器を載せた台車と、前記床面上に設けられたガイドレール及びガイドレールストッパーから構成され、前記架台に固定された汚水管と給水管を、それぞれ前記台車に設けられた汚水管と給水管接続可能とした前記フランジであって、前記充電池によりモーターを稼動して回転させることにより前記台車の前記前輪を制御操作して前記台車を目的に移動させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、前記フランジに突起したピンを設け固定し、前記相手フランジのピンがピン穴に収まり、前記フランジは上下左右四方にブレとズレを防ぎ固定して、前記ピンの先はピン穴に入り易く丸くされている、前記接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることも出来るようになる、前記フランジを利用して人手不足を解消される。
【手続補正４】
【補正対象書類名】明細書
【補正対象項目名】０００６
【補正方法】変更
【補正の内容】
【０００６】
本発明記載の請求項１に係る配管継ぎ手として自動接続し、床面上に固定された架台と、前輪と後輪を有し便器を載せた台車と、前記床面上に設けられたガイドレール及びガイドレールストッパーから構成され、前記架台に固定された汚水管と給水管を、それぞれ前記台車に設けられた汚水管と給水管接続可能とした前記フランジであって、前記充電池によりモーターを稼動して回転させることにより前記台車の前記前輪を制御操作して前記台車を目的に移動させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、前記フランジに突起したピンを設け固定し、前記相手フランジはピンが入るピン穴を設けピンを収める、前記フランジは上下左右四方にピンとピン穴に収まり、前記フランジのブレとズレを防ぎ固定して、前記フランジのピンは先がピン穴に入り易く丸くしてある、前記フランジ接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることは、人の手を介さずに配管の接続切り離し作業を行う事ができた。
【手続補正５】
【補正対象書類名】明細書
【補正対象項目名】００１０
【補正方法】変更
【補正の内容】
【００１０】
〔実施例１〕
図１は、電磁石を興すソレノイド３を架台２１のフランジ１に具備し，電力配線１１のスイッチは図示していないが、ピン１は接続時に台車２６のピン穴４に入り易く先端を丸くしている、又双方のフランジ表面は接続部分中央にパッキン溝２を設けてあり、架台２５のフランジ５にパッキン１０が装着されフランジ１２を挟んで接続され、また、接続解除される、前記フランジの磁力で圧接密閉され、フランジ５とフランジ１２に接続するパイプ螺子７は磁力を遮断する材質を使用して、磁力はフランジと遮断される。
〔実施例２〕
前記の配管継ぎ手として自動接続し、床面上に固定された架台２５と、前輪３２と後輪１７を有し便器１８を載せた台車２６と、前記床面上に設けられたガイドレール１４及びガイドレールストッパー１５から構成され、前記架台２５に固定された汚水管２４と給水管２３を、それぞれ前記台車２６に設けられた汚水管２４と給水管２３接続可能とした前記フランジであって、前記充電池によりモーターを稼動して回転させることにより前記台車２６の前記前輪３２を制御操作して前記台車２６を目的に移動させ、前記台車２６の後輪１７及び前輪３２が、前記ガイドレール１４に案内されて、前記後輪１７が前記ガイドレールストッパー１５に突き当てられた位置を接続位置とし、前記接続位置において、前記に固定された汚水管２４と給水管２３が、前記台車２６に設けられた汚水管２４と給水管２３と接続され、また、接続解除されるものであって、前記フランジ架台２５に固定された汚水管２４と給水管２３の継ぎ手部と、前記台車２６に設けられた汚水管２４と給水管２３の継ぎ手部には、いずれも、前記フランジに突起したピン１を設け固定し、前記フランジの相手フランジはピン１が入るピン穴４を設けピン１を収める、前記フランジは上下左右四方にピン１とピン穴４に収まり、前記フランジのブレとズレを防ぎ固定して、前記フランジピン１の先はピン穴４に入り易く丸くしてある、前記接続面にパッキン２の溝を設けたフランジが形成されており、前記接続位置において、前記電磁石装置を制御することにより、前記架台２５に固定された汚水管２４と給水管２３の継ぎ手部のフランジ１２が、フランジ１２の間に装着されたパッキン１０を挟んで接続され、また、接続解除されることは、人の手を介さずに配管の接続切り離し作業を行う事ができた。
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
電磁石自動接続フランジは、配管継ぎ手として自動接続し、床面上に固定された架台と、前輪と後輪を有し便器を載せた台車と、前記床面上に設けられたガイドレール及びガイドレールストッパーから構成され、前記架台に固定された汚水管と給水管を、それぞれ前記台車に設けられた汚水管と給水管に接続可能とした前記フランジであって、充電池によりモーターを稼動して回転させることにより前記台車の前記前輪を制御操作して前記台車を目的位置に移動させ、前記台車の後輪及び前輪が、前記ガイドレールに案内されて、前記後輪が前記ガイドレールストッパーに突き当てられた位置を接続位置とし、前記接続位置において、前記架台に固定された汚水管と給水管が、前記架台に固定された汚水管と給水管の継ぎ手部と、前記台車に設けられた汚水管と給水管の継ぎ手部の一方のフランジの上下左右四方に、先がピン穴に入り易く丸くされている突起したピンを設け、他方のフランジに該ピンが入るピン穴を設け、前記ピンが前記ピン穴に収まり、両フランジのブレとズレを防ぎ、さらに、フランジの接続面にはパッキンの溝が形成されており、前記接続位置において、電磁石装置を制御することにより、前記架台及び台車に固定された汚水管と給水管の継ぎ手部のフランジが、装着されたパッキンを挟んで接続され、また、解除されることを特徴とする、電磁石自動接続フランジ。
【請求項２】
前記フランジ内にソレノイドを数個具備し電源を通し、前記フランジは人の手作業の負担を省く事を特徴とする、請求項１記載の電磁石自動接続フランジ。